(57)【要約】【課題】コストを低減した光多重分離伝送装置、制御方法および光多重分離伝送制御システムを提供すること。【解決手段】本発明にかかる光多重分離伝送装置０００１は、第１の方路と第２の方路から伝送された波長の異なるそれぞれ第１及び第２の波長の２つの光信号を多重化する波長帯域多重手段００１１と、波長帯域多重手段００１１により多重化されたのうち所定の波長の光信号を光分岐／挿入し、当該信号を外部装置に入出力するとともに、所定の波長以外の光信号を通過させる光分岐挿入手段００１２と、光分岐挿入手段００１２から出力された光信号を波長分離し、分離した第１及び第２の光信号を第１の方路と第２の方路のいずれかに伝送する波長帯域分離手段００１３と、を備える。【選択図】図２
2014127796.tif 000002
【特許請求の範囲】
【請求項１】
第１の方路と第２の方路から伝送された波長の異なるそれぞれ第１及び第２の波長グループの光信号を多重化する波長帯域多重手段と、
前記波長帯域多重手段により前記多重化されたのうち所定の波長の光信号を光分岐／挿入し、当該信号を外部装置に入出力するとともに、前記所定の波長以外の光信号を通過させる光分岐挿入手段と、
前記光分岐挿入手段から出力された光信号を波長分離し、分離した第１及び第２の光信号を第１の方路と第２の方路のいずれかに伝送する波長帯域分離手段と、を備える、
光多重分離伝送装置。
【請求項２】
前記波長帯域分離手段は、前記波長帯域多重手段に第１の方路から入力された第１の波長の光信号を第２の方路に出力し、前記波長帯域多重手段に第２の方路から入力された第２の波長の光信号を第１の方路に出力する、
請求項１に記載の光多重分離伝送装置。
【請求項３】
波長帯域多重手段は、第１の光信号を第１の光ケーブルから入力し、第２の光信号を第２の光ケーブルから入力し、
波長帯域分離手段は、第１の光ケーブルに第１／第２の光信号をいずれかを一方を出力し、第２の光ケーブルに第１／第２の光信号のいずれかの他方を出力する、
請求項１に記載の光多重分離伝送装置。
【請求項４】
前記光多重分離伝送装置は、
前記第１の方路からの光信号と、前記波長帯域分離手段が前記第１の方路に出力する光信号とを入力し、前記第１の方路からの光信号を前記波長帯域多重手段に出力し、前記波長帯域分離手段から入力した光信号を前記第１の方路に出力するよう光信号を分割多重する第１の伝送用波長分割多重手段、をさらに備える、
請求項１〜請求項３に記載の光多重分離伝送装置。
【請求項５】
波長帯域多重手段は、第１の光信号を第１の光ケーブルから入力し、第２の光信号を第２の光ケーブルから入力し、
波長帯域分離手段は、第３の光ケーブルに第１／第２の光信号のいずれか一方を出力し、第４の光ケーブルに第１／第２の光信号のいずれかの他方を出力する、
請求項１に記載の光多重分離伝送装置。
【請求項６】
前記光分岐挿入手段は、前記波長帯域多重手段から入力した前記光信号を分波する光カプラと、
前記第光カプラから入力した入力信号を分離して、所定の波長の光信号を前記外部装置に出力する第１の波長多重分離デバイスと、
前記外部装置から入力した所定の波長の光信号を出力する第２の波長多重分離デバイスと、
前記光カプラにより分波された光信号と、前記外部装置から入力された光信号を多重する２×１波長選択スイッチと、を備える、
請求項１〜請求項５のいずれか１項に記載の光多重分離伝送装置。
【請求項７】
前記光分岐挿入手段は、
入力された光信号を分離する１×２波長選択スイッチと、
前記１×２波長選択スイッチから入力した入力信号を分離して、所定の波長の光信号を前記外部装置に出力する第１の波長多重分離デバイスと、
前記外部装置から入力した所定の波長の光信号を出力する第２の波長多重分離デバイスと、
前記１×２波長選択スイッチ通過した光信号と、前記外部装置から入力された光信号と、を多重する光カプラと、を備える、
請求項１〜請求項５のいずれか１項に記載の光多重分離伝送装置。
【請求項８】
前記光分岐挿入手段は、
入力された光信号を分離して、所定の波長の光信号を前記外部装置に出力する１×Ｎ（Ｎは２以上の自然数）波長選択スイッチと、
前記外部装置から入力した所定の波長の光信号を出力する第２の波長多重分離デバイスと、
前記１×Ｎ波長選択スイッチを通過した光信号と、前記外部装置から入力された光信号と、を多重する光カプラと、を備える、
請求項１〜請求項５のいずれか１項に記載の光多重分離伝送装置。
【請求項９】
前記光分岐挿入手段は、
入力された光信号を分離して、所定の波長の光信号を前記外部装置に出力する１×Ｎ（Ｎは２以上の自然数）波長選択スイッチと、
前記１×Ｎ波長選択スイッチにより分離された光信号のうち通過した光信号と、前記外部装置から入力された光信号と、を多重するＮ×１波長選択スイッチと、を備える、
請求項１〜請求項５のいずれか１項に記載の光多重分離伝送装置。
【請求項１０】
複数請求項１〜９のいずれか１項に記載の光多重分離伝送装置を備える光多重分離伝送制御システムであって、
前記複数の光多重分離伝送装置は、リニアトポロジより接続されている、
光多重分離伝送制御システム。
【請求項１１】
複数請求項１〜９のいずれか１項に記載の光多重分離伝送装置を備える光多重分離伝送制御システムであって、
前記複数の光多重分離伝送装置は、リングトポロジより接続されている、
光多重分離伝送制御システム。
【請求項１２】
前記光分岐挿入手段は、
入力された光信号を分離する入力側光カプラと、
前記第光カプラから入力した入力信号を分離して、所定の波長の光信号を前記外部装置に出力する第１の波長多重分離デバイスと、
前記光カプラにより分離した光信号の一部の波長信号の通過および阻止を制御する波長ブロッカーと、
前記外部装置から入力した所定の波長の光信号を出力する第２の波長多重分離デバイスと、
前記波長ブロッカーを通過した光信号と、前記第２の波長多重分離デバイスから入力された光信号と、を多重する出力側光カプラと、を備える、
請求項１〜請求項６のいずれか１項に記載の光多重分離伝送装置。
【請求項１３】
第１の方路と第２の方路から伝送された波長の異なるそれぞれ第１及び第２の波長グループの光信号を多重化し、
前記波長帯域多重手段により前記多重化されたのうち所定の波長の光信号を光分岐／挿入し、当該信号を外部装置に入出力するとともに、前記所定の波長以外の光信号を通過させ、
前記光分岐挿入手段から出力された光信号を波長分離し、分離した第１及び第２の光信号を第１の方路と第２の方路のいずれかに伝送する、
光多重分離伝送方法。
【請求項１４】
少なくとも１つの光多重分離伝送装置と、ネットワーク制御装置を備える光多重分離伝送制御システムであって、
光多重分離伝送装置は、
第１の方路と第２の方路から伝送された波長の異なるそれぞれ第１及び第２の波長グループの光信号を多重化する波長帯域多重手段と、
前記波長帯域多重手段により前記多重化されたのうち所定の波長の光信号を光分岐／挿入し、当該信号をトランスポンダを介して外部装置に入出力するとともに、前記所定の波長以外の光信号を通過させる光分岐挿入手段と、
前記光分岐挿入手段から出力された光信号を波長分離し、分離した第１及び第２の光信号を第１の方路と第２の方路のいずれかに伝送する波長帯域分離手段と、を備え、
前記ネットワーク制御装置は、
前記ネットワーク制御装置は、前記光多重分離伝送装置の前記光分岐挿入手段が所定の波長の光信号の光分岐／挿入を行い、トランスポンダが所定の波長の光信号を入出力するよう動作を制御する、
ネットワーク制御システム。
【発明の詳細な説明】
【技術分野】
【０００１】
本発明は、光多重分離伝送装置、制御方法および光多重分離伝送制御システムに関する。
【背景技術】
【０００２】
光ファイバ通信システムにおいて、単心光ファイバによる双方向通信（以下、１心双方向とする）は光ファイバの利用効率を高めるため、設備コスト面で有利である。また通信容量の増大に伴い、波長分割多重（WDM: Wavelength Division Multiplexing）による波長チャネル数の増加、光ファイバ増幅器による伝送距離の延伸化が必須となっている。
【０００３】
一方、２心光ファイバによる双方向通信（以下、２心双方向とする）において、中継光多重分離伝送装置において波長チャネル単位で多重分離を行うＯＡＤＭ（Optical Add/Drop Multiplexing:光分岐挿入装置）により、中継光多重分離伝送装置間で波長パスを設定する光多重分離伝送装置が実用化されており、波長パス設定を遠隔制御により行うＲＯＡＤＭ（Reconfigurable Optical Add/Drop Multiplexing）装置が普及している。一般的に波長チャネルの多重分離を行うＯＡＤＭまたはＲＯＡＤＭ光多重分離伝送装置においては、高コストの光スイッチモジュール、光ファイバ増幅器などが複数組み合わせて構成されており、光多重分離伝送装置が高コストになる。
【０００４】
特許文献１には、関連する１心双方向波長多重分離ノードについて開示されている。特許文献１に開示された１心双方向波長多重分離ノードでは奇数波長→上り、偶数波長→下りという波長配備のため、伝送路における光ファイバ増幅器を配備するために中継光多重分離伝送装置において波長チャネルのインターリーブおよびインターリーブされた上りおよび下りの波長チャネルを多重分離する多重分離器が必要となる。
【０００５】
特許文献２には、光パスネットワークの階層型光パスクロスコネクト装置について開示されている。特許文献２に開示された階層型光パスクロスコネクト装置は、ターミネート処理部へ光スイッチ機構を簡単にすることで、波長パスクロスコネクト部のスイッチ機構の規模を減少する。
【０００６】
特許文献３には、波長多重分離手段を通過した光を反射する反射器を設けることで、信号光源となる波長可変光源の波長を、波長多重分離手段を透過する波長に容易に調整する、光伝送システムが開示されている。
【０００７】
特許文献４には、大規模クロスコネクトスイッチおよび対応方路数に依存したトランスポンダ・アグリゲータの配備を必要とせず、特定のトランスポンダの送受信光信号を任意の伝送方路かつ任意の波長で通信可能とし、導入コストの低下、装置小型化および低消費電力化を図ることができる波長パス通信ノード装置について開示されている。
【先行技術文献】
【特許文献】
【０００８】
【特許文献１】特開２００６−３１９８５７号公報
【特許文献２】特開２０１２−６５２９２号公報
【特許文献３】特開２０１２−１５５７７号公報
【特許文献４】国際公開２００９／１４５１１８号
【発明の概要】
【発明が解決しようとする課題】
【０００９】
特許文献１に開示された１心双方向波長多重分離ノードでは、隣接する波長チャネルをインターリーブする多重分離器は周波数密度を高めるために波長間隔を狭くすると急峻なフィルタ特性が必要となるため、高コストとなる。また、個別のトランスポンダごとに光ファイバ増幅器を配備する実施例が示されているが、伝送路に一括して光ファイバ増幅器を配備する場合に比べて高コストとなる。
したがって本発明は、光多重分離伝送装置のコスト低減を図ることを目的とする。
【課題を解決するための手段】
【００１０】
本発明にかかる光多重分離伝送装置は、第１の方路と第２の方路から伝送された波長の異なるそれぞれ第１及び第２の波長グループの光信号を多重化する波長帯域多重手段と、前記波長帯域多重手段により前記多重化されたのうち所定の波長の光信号を光分岐／挿入し、当該信号を外部装置に入出力するとともに、前記所定の波長以外の光信号を通過させる光分岐挿入手段と、前記光分岐挿入手段から出力された光信号を波長分離し、分離した第１及び第２の光信号を第１の方路と第２の方路のいずれかに伝送する波長帯域分離手段と、を備える。
【００１１】
本発明にかかる光多重分離伝送方法は、第１の方路と第２の方路から伝送された波長の異なるそれぞれ第１及び第２の波長グループの光信号を多重化し、前記波長帯域多重手段により前記多重化されたのうち所定の波長の光信号を光分岐／挿入し、当該信号を外部装置に入出力するとともに、前記所定の波長以外の光信号を通過させ、前記光分岐挿入手段から出力された光信号を波長分離し、分離した第１及び第２の光信号を第１の方路と第２の方路のいずれかに伝送する。
【００１２】
本発明にかかる光多重分離伝送制御システムは、少なくとも１つの光多重分離伝送装置と、ネットワーク制御装置を備える光多重分離伝送制御システムであって、光多重分離伝送装置は、第１の方路と第２の方路から伝送された波長の異なるそれぞれ第１及び第２の波長グループの光信号を多重化する波長帯域多重手段と、前記波長帯域多重手段により前記多重化されたのうち所定の波長の光信号を光分岐／挿入し、当該信号をトランスポンダを介して外部装置に入出力するとともに、前記所定の波長以外の光信号を通過させる光分岐挿入手段と、前記光分岐挿入手段から出力された光信号を波長分離し、分離した第１及び第２の光信号を第１の方路と第２の方路のいずれかに伝送する波長帯域分離手段と、を備え、前記ネットワーク制御装置は、前記ネットワーク制御装置は、前記光多重分離伝送装置の前記光分岐挿入手段が所定の波長の光信号の光分岐／挿入を行い、トランスポンダが所定の波長の光信号を入出力するよう動作を制御する。
【発明の効果】
【００１３】
コストを低減した光多重分離伝送装置、制御方法および光多重分離伝送制御システムを提供する。
【図面の簡単な説明】
【００１４】
【図１】実施の形態１にかかる光多重分離伝送装置の構成図である。
【図２】実施の形態２にかかる１台の光多重分離伝送装置を備えた１心双方向通信のリニアトポロジの構成例を示す図である。
【図３】実施の形態２にかかる２台の光多重分離伝送装置を備えた１心双方向通信のリニアトポロジの構成例を示す図である。
【図４】実施の形態２にかかる波長多重分離通信システムの制御フローを示す図である。
【図５】本実施の形態３にかかる２心双方向通信のリニアトポロジの構成例を示す図である。
【図６】実施の形態４にかかる１心双方向通信のリングトポロジの構成例を示す図である。
【図７】実施の形態５にかかる２心双方向通信のリングトポロジの構成例を示す図である。
【図８】実施の形態２にかかるＯＡＤＭ機能部の構成例である。
【図９】実施の形態６にかかるＯＡＤＭ機能部の構成例である。
【図１０】実施の形態６にかかるＯＡＤＭ機能部の構成例である。
【図１１】実施の形態６にかかるＯＡＤＭ機能部の構成例である。
【図１２】実施の形態６にかかるＯＡＤＭ機能部の構成例である。
【図１３】実施の形態の前提例にかかるシステム構成を説明するための構成例である。
【図１４】実施の形態の前提例にかかるシステム構成を説明するための構成例である。
【図１５】実施の形態の前提例にかかるＯＡＤＭ機能部の構成例である。
【図１６】実施の形態の前提例にかかるＯＡＤＭ機能部の構成例である。
【図１７】実施の形態の前提例にかかるＯＡＤＭ機能部の構成例である。
【図１８】実施の形態の前提例にかかるＯＡＤＭ機能部の構成例である。
【図１９】実施の形態の前提例にかかるＯＡＤＭ機能部の構成例である。
【発明を実施するための形態】
【００１５】
（実施の形態の前提例）
図１３は関連技術の組み合わせにより、想起される１心双方向による波長多重分離通信システムの１例を示したものである。図１３においては、特定波長帯（C-band、L-bandなど）内の短波長帯および長波長帯、あるいは複数波長帯のそれぞれに対してそれぞれ上りおよび下りの通信が割り当てられ、伝送路光ファイバ０６１３での１心双方向を、ＯＡＤＭ光多重分離伝送装置０６１２においてＷＤＭカプラ０６０５で短波長帯および長波長帯に分離し、それぞれ波長パス分離多重（ＯＡＤＭ）または透過（ＯＡＤＭせずにそのままＯＡＤＭノードを通過する）波長パス設定を行った後に再びＷＤＭカプラ０６０５で多重し、１心双方向で伝送する構成となっている。
【００１６】
ＯＡＤＭ光多重分離伝送装置０６１２における光ファイバ増幅器０６０４、ＯＡＤＭ部０６０６、ＤＣＭ（分散補償器：Dispersion Compensation Module）０６０３は通常、上りおよび下りに割り当てている波長帯の全帯域をカバーする仕様のコンポーネントを適用するが、当該コンポーネントを入力する波長多重信号は短波長帯もしくは長波長帯の一方のみであり、実質的なコンポーネントの利用効率は図１４の２心双方向システム構成におけるそれに比べて１／２となる問題がある。
【００１７】
また図１４は２心双方向による波長多重分離通信システムの１例を示したものである。図１５〜図１９は、図１３または図１４に適用される光多重分離伝送装置のＯＡＤＭ機能部の典型例である。
【００１８】
このような光多重分離伝送装置では、光ファイバ増幅器、ＯＡＤＭ機能部、ＤＣＭ機能部を、上り方向と下り方向について別々に使用しており、波長パス利用効率が悪いという問題がある。ＯＡＤＭ機能部は一般にコストが高く、体積が大きい場合が多いため、光多重分離伝送装置が高コスト化し、かつ体積が大きくなるという問題がある。また、光多重分離伝送装置に設けられたＯＡＤＭ機能部は、使用される場面によって必要とされる機能に差異があるため、要求される条件に合わせてサイズとコストを調整して、最適な光多重分離伝送装置を利用したいという要望がある。さらに、光多重分離伝送装置の一部に障害した場合に、障害が発生した光多重分離伝送装置を介して接続している他の光多重分離伝送装置には、光信号を伝送ができないという問題がある。
【００１９】
（実施の形態１）
以下、図面を参照して本発明の実施の形態について説明する。図１は、光多重分離伝送装置を示す図である。光多重分離伝送装置０１１２は、合波用ＷＤＭカプラ００１１と、ＯＡＤＭ機能部（波長パス選択切替手段）００１２と、分波用ＷＤＭカプラ００１３を備える。
【００２０】
合波用ＷＤＭカプラ００１１は、異なる２つの方路から入力された光信号を多重して出力する波長帯域多重手段である。より具体的には、合波用ＷＤＭカプラ００１１は、第１の方路から入力された光信号と、第２の方路から入力された光信号を多重化する。なお第１の方路から入力される光信号と、第２の方路から入力される光信号は波長が異なる。例えば第１の方路から入力される第１の波長は長波長であり、第２の方路から入力される第２の波長は、短波長である。
合波用ＷＤＭカプラ００１１は、多重した光信号をＯＡＤＭ機能部００１２に出力する。
【００２１】
ＯＡＤＭ機能部００１２は、入力された光信号の光分岐および挿入を行う。ＯＡＤＭ機能部００１２には、合波用ＷＤＭカプラ００１１と、分波用ＷＤＭカプラ００１３と、トランスポンダを介してクライアント装置（外部装置：図示せず）が接続されている。ＯＡＤＭ機能部００１２は、合波用ＷＤＭカプラ００１１から入力された光信号を分岐し、分波用ＷＤＭカプラ００１３と、クライアント装置に出力する。またＯＡＤＭ機能部００１２は、クライアント装置からトランスポンダを介して入力した信号を、合波用ＷＤＭカプラ００１１から分波用ＷＤＭカプラ００１３に伝送する光信号に挿入する。
より具体的にはＯＡＤＭ機能部００１２は、光信号の分岐の際にクライアント装置に出力する波長の光信号を、合波用ＷＤＭカプラ００１１から分波用ＷＤＭカプラ００１３に出力しないよう制御する。またＯＡＤＭ機能部００１２は、光信号の挿入の際にクライアント装置から入力する波長の光信号を、合波用ＷＤＭカプラ００１１から分波用ＷＤＭカプラ００１３に出力しないよう制御する。
なおトランスポンダについては、実施の形態２において詳述する。
【００２２】
分波用ＷＤＭカプラ００１３は、ＯＡＤＭ機能部００１２から入力された光信号を、分岐して出力する波長帯域分離手段である。より具体的には、分波用ＷＤＭカプラ００１３は、第１の方路と第２の方路に対し、それぞれ光信号を出力する。ここで、分波用ＷＤＭカプラ００１３から、それぞれ第１の方路と第２の方路に出力する光信号の波長は異なるサブ波長帯域に分波する。典型的には、分波用ＷＤＭカプラ００１３は、第１の方路から合波用ＷＤＭカプラ００１１に入力された波長と同じ波長の光信号を、第２の方路に出力する。また分波用ＷＤＭカプラ００１３は、第２の方路から合波用ＷＤＭカプラ００１１に入力された波長と同じ波長の光信号を、第１の方路に出力する。
【００２３】
これにより光多重分離伝送装置における、ＯＡＤＭ機能部の機能を、第１の方路から入力された光信号と、第２の方路から入力された光信号とで共通化することができる。したがって、光多重分離伝送装置を、低コスト化することができる。
【００２４】
（実施の形態２）
図２及び図３はリニアトポロジでネットワークシステムを構築した例である。具体的には、図２は１台の光多重分離伝送装置（ノード装置）を備えた例であり、図３は２台の光多重分離伝送装置を備えた例である。以下では、図２を参照して説明する。なお図２及び図３において、左側をＷｅｓｔ、右側をＥａｓｔとして説明する。光多重分離伝送装置０１１２のＷｅｓｔ側からＥａｓｔ側の方向を第１の方路（あるいは下り方向）、Ｅａｓｔ側からＷｅｓｔ側の方向を第２の方路（あるいは上り方向）とする。
【００２５】
波長多重分離光通信ネットワークシステムは、ＷＤＭ端局装置０１１１と、光多重分離伝送装置０１１２と、ネットワーク制御装置０１１４を備える。ＷＤＭ端局装置０１１１および光多重分離伝送装置０１１２はネットワーク制御装置０１１４に接続されており、ネットワーク制御装置０１１４より波長パス設定に関する設定情報を受信する。なお、ＷＤＭ端局装置０１１１は、光多重分離伝送装置０１１２のＷｅｓｔ側と、Ｅａｓｔ側に１台ずつ設けられており、それぞれＷＤＭ端局装置０１１１Ａ、ＷＤＭ端局装置０１１１Ｂとする。ＷＤＭ端局装置０１１１Ａと光多重分離伝送装置０１１２、及び光多重分離伝送装置０１１２とＷＤＭ端局装置０１１１Ｂの間は、それぞれ１つの伝送路光ファイバ０１１３により接続されている。言い換えると、波長多重分離光通信ネットワークシステムは、１心双方向による通信を行う。
【００２６】
ＷＤＭ端局装置０１１１は、トランスポンダ０１０１と、波長多重分離デバイス０１０２と、第１のＤＣＭ０１０３Ａ（波長分散補償モジュール：Dispersion Compensation Module）と、第２のＤＣＭ０１０３Ｂと、第１の光ファイバ増幅器０１０４Ａと、第２の光ファイバ増幅器０１０４Ｂと、第１のＷＤＭカプラ０１０５Ａと、第２のＷＤＭカプラ０１０５Ｂを備える。
【００２７】
トランスポンダ０１０１は、ＷＤＭ端局装置０１１１に接続されるクライアント装置（図示なし）間の通信を提供する。トランスポンダ０１０１は特定の波長帯（C-band、L-bandなど）内のすべての波長（WDM波長チャネル）を選択できるフルチューナブル機能を有する。より具体的には、トランスポンダ０１０１は、ＩＴＵ−Ｔ規格に準拠したＯＴＮ（Optical Transport Network）フレームの生成終端機能ならびにビットレートを有し、ＷＤＭライン光出力信号の波長は同規格に定められている複数の等間隔周波数の何れかを設定できる機能を有する。ここではＯＴＵ２（ビットレート＝１０．７０９Ｇｂｐｓ）、周波数間隔１００ＧＨｚ、ＷＤＭチャネル数４０チャネル、ＷＤＭ帯域としてＣ−ｂａｎｄを仕様とするトランスポンダを適用する。なお、本実施の形態において、１心双方向伝送を実現するために、１００ＧＨｚ間隔、４０チャネルの帯域を短波長帯の２０チャネル、超波長帯の２０チャネルに分割し、長波長帯を光多重分離伝送装置０１１２のＷｅｓｔ側の装置からＥａｓｔ側の装置の方向のリンク設定に、短波長帯をＥａｓｔ側の装置からＷｅｓｔ側の装置の方向のリンク設定に割り当てるものとする。言い換えると、長波長帯をＷＤＭ端局装置０１１１ＡからＷＤＭ端局装置０１１１Ｂ方向のリンク設定に、短波長帯をＷＤＭ端局装置０１１１ＢからＷＤＭ端局装置０１１１Ａ方向のリンク設定に割り当てるものとする。
【００２８】
トランスポンダ０１０１は、波長多重分離デバイス０１０２に対して波長チャネルを選択して、入出力を行う。なお、光多重分離伝送装置０１１２のＷｅｓｔ側に設けられたＷＤＭ端局装置０１１１Ａのトランスポンダをトランスポンダ０１０１Ｘ、光多重分離伝送装置０１１２のＷｅｓｔ側に設けられたＷＤＭ端局装置０１１１Ｂのトランスポンダをトランスポンダ０１０１Ｚ、とする。
【００２９】
波長多重分離デバイス０１０２は、トランスポンダ０１０１から入力された信号の波長の多重化を行う。より具体的には、波長多重分離デバイス０１０２は、１００ＧＨｚ間隔、４０チャネルの光信号を個別に入出力するための４０ポートの入出力ポートを有し、これら複数の光信号を波長多重して出力、または複数の光信号に波長分離するための多重信号を入力するアップリンクポート１ポートを有する。波長多重分離デバイス０１０２は、多重化した信号を、第１のＷＤＭカプラ０１０５Ａに出力する。また、波長多重分離デバイス０１０２は、第１のＷＤＭカプラ０１０５Ａから入力された多重信号を分離し、トランスポンダ０１０１Ｘに出力する。
【００３０】
第１のＤＣＭ０１０３Ａは、伝送品質の劣化を防ぐための分散補償ファイバを収納したモジュールである。より具体的には、第１のＤＣＭ０１０３Ａは、伝送路光ファイバ０１１３によって累積する正の波長分散によりトランスポンダ受信端で生じる残留分散値を最適化するために分散補償を行う。第１のＤＣＭ０１０３ＡはＤＣＦ（Dispersion Compansation Fiber）またはＦＢＧ（Fiber Bragg Grating）を用いており、分散補償量は受信端でのビットエラーレートが規定値以下となるように設定される。
第１のＤＣＭ０１０３Ａは、第１のＷＤＭカプラ０１０５Ａから入力された信号について、分散補償を行い、第１の光ファイバ増幅器０１０４Ａに出力する。
【００３１】
第２のＤＣＭ０１０３Ｂは、伝送品質の劣化を防ぐための分散補償ファイバを収納したモジュールである。第２のＤＣＭ０１０３Ｂは、第２の光ファイバ増幅器０１０４Ｂから入力された信号について、分散補償を行い、第１のＷＤＭカプラ０１０５Ａに出力する。典型的には、第２のＤＣＭ０１０３Ｂは、第１のＤＣＭ０１０３Ａと同様のものが利用されるが、これに限定されない。
【００３２】
第１の光ファイバ増幅器０１０４Ａは、減衰した信号を増幅する機能を有するモジュールである。典型的には、光ファイバ増幅器０１０４Ａは、ＥＤＦ（Erbium Dopoed Fiber）を利得媒体に用い、励起用半導体レーザにより光ファイバに添加されたイオン化Ｅｒｂｉｕｍを励起し、入力信号光を増幅して出力光信号として出力する。光ファイバ増幅器０１０４Ａの増幅利得、入力光信号パワ、出力光信号パワなどは、トランスポンダ０１０１以外の受動光デバイスおよび伝送路光ファイバが有する損失により決定される光パワレベルダイヤグラムにおいて、トランスポンダ受信端の光パワレベルおよびＯＳＮＲ（Optical Signal to Noise Ratio）が所定の特性を満足するように決定される。
第１の光ファイバ増幅器０１０４Ａは、第１のＤＣＭ０１０３Ａから入力された信号を増幅して、第２のＷＤＭカプラ０１０５Ｂに出力する。
【００３３】
第２の光ファイバ増幅器０１０４Ｂは、減衰した信号を増幅する機能を有するモジュールである。第２の光ファイバ増幅器０１０４Ｂは、第２のＷＤＭカプラ０１０５Ｂから入力された信号を増幅して、第２のＤＣＭ０１０３Ｂに出力する。典型的には、第２の光ファイバ増幅器０１０４Ｂは、第１の光ファイバ増幅器０１０４Ａと同様のものが利用されるが、これに限定されない。
【００３４】
第１のＷＤＭカプラ０１０５Ａは、長波長帯および短波長帯を弁別する。例えば、第１のＷＤＭカプラ０１０５Ａは、Ｃ−ｂａｎｄ内の短波長帯２０チャネルおよび長波長帯２０チャネルごと多重または分離する機能を有する、光ファイバ溶融型ＷＤＭカプラが適用される。第１のＷＤＭカプラ０１０５Ａは、波長多重分離デバイス０１０２から入力した信号を第１のＤＣＭ０１０３Ａに出力する。また、第１のＷＤＭカプラ０１０５Ａは、第２の光ファイバ増幅器０１０４Ｂから入力された信号を、波長多重分離デバイス０１０２に出力する。
【００３５】
第２のＷＤＭカプラ０１０５Ｂは、長波長帯および短波長帯を弁別する。より具体的には、第２のＷＤＭカプラ０１０５Ｂは、第１の光ファイバ増幅器０１０４Ａから入力した信号を、伝送路光ファイバ０１１３を介して、光多重分離伝送装置０１１２に出力する。また第２のＷＤＭカプラ０１０５Ｂは、伝送路光ファイバ０１１３を介して光多重分離伝送装置０１１２から入力した信号を、第２のＤＣＭ０１０３Ｂに出力する。典型的には、第２のＷＤＭカプラ０１０５Ｂは、第１のＷＤＭカプラ０１０５Ａと同様のものが利用されるが、これに限定されない。
【００３６】
伝送路光ファイバ０１１３は、典型的には、ＳＳＭＦ（Standard Single Mode Fiber）を用いる。なお、ＷＤＭ端局装置０１１１Ａと光多重分離伝送装置０１１２との間に接続された伝送路光ファイバ０１１３を第１の光ケーブル、光多重分離伝送装置０１１２とＷＤＭ端局装置０１１１Ｂとの間に接続された伝送路光ファイバ０１１３を第２の光ケーブルとする。
【００３７】
光多重分離伝送装置０１１２は、トランスポンダ０１０１Ｙと、第３のＤＣＭ０１０３Ｃと、第３のＷＤＭカプラ０１０５Ｃと、合波用ＷＤＭカプラ０１０７Ａと、分波用ＷＤＭカプラ０１０７Ｂと、第３の光ファイバ増幅器０１０８Ａと、第４の光ファイバ増幅器０１０８Ｂと、ＯＡＤＭ機能部０１０９を備える。ここで典型的には、光多重分離伝送装置０１１２は、実施の形態１で示した光多重分離伝送装置０００１に、第３のＤＣＭ０１０３Ｃと、第３のＷＤＭカプラ０１０５Ｃと、第３の光ファイバ増幅器０１０８Ａと、第４の光ファイバ増幅器０１０８Ｂを加えたものである。
【００３８】
トランスポンダ０１０１Ｙは、光多重分離伝送装置０１１２に接続されるクライアント装置（図示なし）間の通信を提供する。トランスポンダ０１０１Ｙは、ＯＡＤＭ機能部０１０９に対して、波長信号の入出力を行う。
【００３９】
第３のＷＤＭカプラ０１０５Ｃは、長波長帯および短波長帯を弁別する。より具体的には、第３のＷＤＭカプラ０１０５Ｃは、分波用ＷＤＭカプラ０１０７Ｂから入力した信号を、伝送路光ファイバ０１１３を介して、光多重分離伝送装置０１１２のＷｅｓｔ側に設けられたＷＤＭ端局装置０１１１Ａに出力する。また、第３のＷＤＭカプラ０１０５Ｃは、光多重分離伝送装置０１１２のＷｅｓｔ側に設けられたＷＤＭ端局装置０１１１Ｂの第２のＷＤＭカプラ０１０５Ｂから、伝送路光ファイバ０１１３を介して入力した信号を、合波用ＷＤＭカプラ０１０７Ａに出力する。典型的には、第３のＷＤＭカプラ０１０５Ｃは、第１のＷＤＭカプラ０１０５Ａと同様のものが利用されるが、これに限定されない。なお、以下では、第３のＷＤＭカプラ０１０５Ｃを、第１の伝送用波長分割多重カプラと呼ぶ場合がある。
【００４０】
第４のＷＤＭカプラ０１０５Ｄは、長波長帯および短波長帯を弁別する。より具体的には、第４のＷＤＭカプラ０１０５Ｄは、分波用ＷＤＭカプラ０１０７Ｂから入力した信号を、伝送路光ファイバ０１１３を介して、光多重分離伝送装置０１１２のＥａｓｔ側に設けられたＷＤＭ端局装置０１１１Ｂに出力する。また、第４のＷＤＭカプラ０１０５Ｄは、光多重分離伝送装置０１１２のＥａｓｔ側に設けられたＷＤＭ端局装置０１１１Ｂの第２のＷＤＭカプラ０１０５Ｂから、伝送路光ファイバ０１１３を介して入力した信号を、合波用ＷＤＭカプラ０１０７Ａに出力する。典型的には、第４のＷＤＭカプラ０１０５Ｄは、第１のＷＤＭカプラ０１０５Ａと同様のものが利用されるが、これに限定されない。なお、以下では、第４のＷＤＭカプラ０１０５Ｄを、第２の伝送用波長分割多重カプラと呼ぶ場合がある。
【００４１】
合波用ＷＤＭカプラ０１０７Ａは、入力された各波長の信号を合成して出力する波長帯域多重手段である。具体的には、合波用ＷＤＭカプラ０１０７Ａは、第３のＷＤＭカプラ０１０５Ｃから入力された第１の波長グループの光信号と、第４のＷＤＭカプラ０１０５Ｄから入力された第２の波長グループの光信号を合成し、第３の光ファイバ増幅器０１０８Ａに出力する。典型的には、合波用ＷＤＭカプラ０１０７Ａは、第１のＷＤＭカプラ０１０５Ａと同様のものが利用されるが、これに限定されない。
【００４２】
第３の光ファイバ増幅器０１０８Ａは、減衰した信号を増幅する機能を有するモジュールである。第３の光ファイバ増幅器０１０８Ａは、合波用ＷＤＭカプラ０１０７Ａから入力された信号を増幅して、第３のＤＣＭ０１０３Ｃに出力する。典型的には、第３の光ファイバ増幅器０１０８Ａは、第１の光ファイバ増幅器０１０４Ａと同様のものが利用されるが、これに限定されない。
【００４３】
第３のＤＣＭ０１０３Ｃは、波長分散による伝送品質の劣化を防ぐための分散補償ファイバを収納したモジュールである。第３のＤＣＭ０１０３Ｃは、第３の光ファイバ増幅器０１０８Ａから入力された信号について、分散補償を行い、ＯＡＤＭ機能部０１０９に出力する。典型的には、第３のＤＣＭ０１０３Ｃは、第１のＤＣＭ０１０３Ａと同様のものが利用されるが、これに限定されない。
【００４４】
ＯＡＤＭ機能部１０９は、光分岐挿入手段を備える。具体的には、ＯＡＤＭ機能部０１０９は、第３の光ファイバ増幅器０１０８Ａから信号を入力し、ＯＡＤＭ機能部０１０９は、トランスポンダ０１０１Ｙに対して、信号の入出力を行う。また、ＯＡＤＭ機能部０１０９は、第４の光ファイバ増幅器０１０８Ｂに信号を出力する。図８は、ＯＡＤＭ機能部０１０９の構成例である。
ＯＡＤＭ機能部０１０９は、２×１波長選択スイッチ０９０１Ｂ、光カプラ１３０１、ＤＣＭ０６０３、光ファイバ増幅器０６０４Ａ、光ファイバ増幅器０６０４Ｂ、波長多重分離デバイス１３０２を備える。さらにＯＡＤＭ機能部０１０９は、外部にノード制御回路０８１１を有している。図８において、光信号のうち長波長のものをRed-band、短波長のものをBlue-bandで表示している。
【００４５】
ＤＣＭ０６０３および光ファイバ増幅器０６０４Ａ、０６０４Ｂは、前述の第３のＤＣＭ０１０３Ｃおよび第３の光ファイバ増幅器０１０８Ａ、第４の光ファイバ増幅器０１０８Ｂと同一である。
【００４６】
２×１波長選択スイッチ０９０１Ｂは、入力ポートを２ポート、出力ポートを１ポート備え、任意の入力ポートに入力された任意の波長チャネルを出力ポートに出力する機能を有する。例えば、２×１波長選択スイッチ０９０１Ｂは、ＭＥＭＳ（Micro Electro Mechanical System）スイッチと回折格子(グレーティング)から構成されている。２×１波長選択スイッチ０９０１Ｂは、入力ポートから入力されたＷＤＭ信号光を回折格子に照射して分光し、分光されたＷＤＭ信号光をＭＥＭＳミラーにより特定の周波数成分ごとに、任意の出力ポートの光ファイバに集光する。
【００４７】
光カプラ１３０１は入力ポートを１ポート、出力ポートを２ポート有し、入力された波長チャネルについて運用波長全帯域にわたって比率α（０＜α＜１）の光パワを一方の出力ポートに、比率１−αの光パワをもう一方の出力ポートに分波して出力する機能を有する。
【００４８】
波長多重分離デバイス１３０２は、波長多重信号を入出力するポートを１ポート、分離された個別の波長信号を入出力するポートを運用波長帯域の全波長チャネル数分備えている。波長多重分離デバイス１３０２は、光カプラ１３０１または２×１波長選択スイッチ０９０１Ｂとトランスポンダ０６０１との間に配備され、運用波長帯域の波長チャネル多重分離機能を有する。光カプラ１３０１とトランスポンダ０６０１の間に配備されたものを波長多重分離デバイス１３０２Ａ、２×１波長選択スイッチ０９０１Ｂとトランスポンダ０６０１との間に配備されたものを波長多重分離デバイス１３０２Ｂとする。言い換えると、トランスポンダ０６０１に信号を出力するものを波長多重分離デバイス１３０２Ａ、トランスポンダ０６０１から信号を入力するものを波長多重分離デバイス１３０２Ｂとする。なお、波長多重分離デバイス１３０２はＷＤＭ端局装置に用いられているものと同じ機能を有するが、短波長帯および長波長帯の光信号が共に波長多重ポートから入力され、波長分離ポートより出力するため、入出力方向に関してＷＤＭ端局装置における適用形態と異なる。このトランスポンダ０６０１は、トランスポンダ０１０１Ｙと同一である。
【００４９】
ノード制御回路０８１１は、トランスポンダ０６０１と２×１波長選択スイッチ０９０１Ｂに接続し、動作を制御する。典型的には、ノード制御回路０８１１は、ネットワーク制御装置０１１４からの制御信号に基づいて、トランスポンダ０６０１と２×１波長選択スイッチ０９０１Ｂの動作を制御する。例えばノード制御回路０８１１は、トランスポンダ０６０１が特定の波長の光信号を入出力するように制御する。また、ノード制御回路０８１１は特定の波長について、２×１波長選択スイッチ０９０１Ｂにおいて、ＤＣＭ０６０３から入力されて光カプラ１３０１を透過して入力された光信号の通過または阻止、および波長多重分離デバイス１３０２Ｂから入力された光信号の通過または阻止の制御を行う。
【００５０】
第４の光ファイバ増幅器０１０８Ｂは、減衰した信号を増幅する機能を有するモジュールである。第４の光ファイバ増幅器０１０８Ｂは、ＯＡＤＭ機能部０１０９から入力された信号を増幅して、分波用ＷＤＭカプラ０１０７Ｂに出力する。典型的には、第４の光ファイバ増幅器０１０８Ｂは、第１の光ファイバ増幅器０１０４Ａと同様のものが利用されるが、これに限定されない。
【００５１】
分波用ＷＤＭカプラ０１０７Ｂは、第４の光ファイバ増幅器０１０８Ｂから信号を入力する。分波用ＷＤＭカプラ０１０７Ｂは、波長に基づいて入力された信号を分離する波長帯域分離手段である。より具体的には、分波用ＷＤＭカプラ０１０７Ｂは、信号の波長を参照して、光多重分離伝送装置０１１２のＷｅｓｔ側に出力する信号については第３のＷＤＭカプラ０１０５Ｃに出力し、光多重分離伝送装置０１１２のＥａｓｔ側に出力する信号については第４のＷＤＭカプラ０１０５Ｄに出力する。典型的には、分波用ＷＤＭカプラ０１０７Ｂは、第１のＷＤＭカプラ０１０５Ａと同様のものが利用されるが、これに限定されない。
【００５２】
次に、波長多重分離光通信ネットワークシステムの動作について、図面を参照しながら説明する。最初に、ネットワーク制御装置０１１４の動作について説明する。図４は波長多重分離光通信ネットワークシステムの制御フローである。なお図４では、ＷＤＭ端局装置０１１１Ａのトランスポンダ０１０１Ｘから、光多重分離伝送装置０１１２のトランスポンダ０１０１Ｙへの信号の送信の制御フローを示す。
【００５３】
ネットワーク制御装置０１１４は、上位サービス層などからの波長パス設定要求を受け、要求された波長パスを確立するために制御対象となる波長パス端点のＷＤＭ端局装置０１１１または光多重分離伝送装置０１１２を特定する（ステップＳ１）。
【００５４】
ネットワーク制御装置０１１４は、特定したＷＤＭ端局装置０１１１または光多重分離伝送装置０１１２に対して、波長パス設定コマンドを送信する。ネットワーク制御装置０１１４は、波長パス経路上のすべての光多重分離伝送装置０１１２に対して、新規設定波長パスについて上記設定波長で透過するよう設定コマンドを送信する（ステップＳ２）。
【００５５】
ここで、各装置のトランスポンダおよび波長チャネルのリソース状況については、ネットワーク制御装置０１１４または各端局装置、光多重分離伝送装置においてリソース情報として管理されているものとする。また、上位サービス層などからの波長パス設定の要求に対して、ネットワーク制御装置０１１４がリソース情報を参照して適切な波長およびトランスポンダを選択し、波長パス設定コマンドを波長パス設定に関係する端局装置および光多重分離伝送装置に送信するものとする。ただし、上記の前提は本発明を約するものではない。
【００５６】
次に、ＷＤＭ端局装置０１１１Ａのトランスポンダ０１０１Ｘと、光多重分離伝送装置０１１２のトランスポンダ０１０１Ｙとの間に波長パスＰ１を設定する動作について説明する。
【００５７】
ネットワーク制御装置０１１４は、上位サービス層より上記波長パスＰ１の設定要求を受け、ＷＤＭ端局装置０１１１Ａおよび光多重分離伝送装置０１１２に対し、それぞれトランスポンダ０１０１Ｘおよびトランスポンダ０１０１Ｙの送信信号波長、および必要に応じて受信信号波長を設定する設定コマンドを送信する（ステップＳ３）。トランスポンダ０１０１Ｘに対しては、ＷＤＭ端局装置０１１１Ａから光多重分離伝送装置０１１２方向へのリンクの送信波長について波長λＲ１を設定し、光多重分離伝送装置０１１２方向からＷＤＭ端局装置０１１１Ａへのリンクの受信波長について波長λＢ１を設定する。トランスポンダ０１０１Ｙに対しては、光多重分離伝送装置０１１２方向からＷＤＭ端局装置０１１１Ａへのリンクの送信波長について波長λＢ１を設定し、ＷＤＭ端局装置０１１１Ａから光多重分離伝送装置０１１２方向へのリンクの受信波長について波長λＲ１を設定する。なお、受信波長の設定は不要であれば省略してもよい。
【００５８】
まず波長パスＰ１に関し、ＷＤＭ端局装置０１１１Ａから光多重分離伝送装置０１１２方向へのリンク（図２における点線の矢印）について説明する。
【００５９】
波長多重分離デバイス０１０２は、トランスポンダ０１０１Ｘから送信された波長λＲ１の光信号を波長多重し、第１のＷＤＭカプラ０１０５Ａに出力する（ステップＳ４）。ここで、波長λＲ１は長波長帯である。
【００６０】
第１のＷＤＭカプラ０１０５Ａは、長波長帯および短波長帯の合分波を行う（ステップＳ５）。言い換えると、第１のＷＤＭカプラ０１０５Ａは、波長多重分離デバイス０１０２から出力された長波長帯の信号と、第２のＤＣＭ０１０３Ｂから入力された短波長帯の信号の合分波を行う。
ここでは、第１のＷＤＭカプラ０１０５Ａは、波長λＲ１の光信号を、第１のＤＣＭ０１０３Ａ及び第１の光ファイバ増幅器０１０４Ａを経由して、第２のＷＤＭカプラ０１０５Ｂに出力する。
【００６１】
第２のＷＤＭカプラ０１０５Ｂは、長波長帯と短波長帯の合分波を行う（ステップＳ６）。言い換えると、第２のＷＤＭカプラ０１０５Ｂは、第１の光ファイバ増幅器０１０４Ａから入力された長波長帯の信号と、第３のＷＤＭカプラ０１０５Ｃから入力された短波長帯の信号の合分波を行う。
ここでは、第２のＷＤＭカプラ０１０５Ｂは、波長λＲ１の光信号を、伝送路光ファイバ０１１３を経由して、光多重分離伝送装置０１１２の第３のＷＤＭカプラ０１０５Ｃに出力する。
【００６２】
第３のＷＤＭカプラ０１０５Ｃは、長波長帯と短波長帯の合分波を行う（ステップＳ６）。言い換えると、第３のＷＤＭカプラ０１０５Ｃは、第２のＷＤＭカプラ０１０５Ｂから入力された長波長帯の信号と、分波用ＷＤＭカプラ０１０７Ｂから入力された短波長帯の信号の合分波を行う。
ここでは、第３のＷＤＭカプラ０１０５Ｃは、伝送後の波長λＲ１の光信号を波長帯域分離し、合波用ＷＤＭカプラ０１０７Ａに出力する。
【００６３】
合波用ＷＤＭカプラ０１０７Ａは、第３のＷＤＭカプラ０１０５Ｃから入力された長波長帯の光信号と、対向側の短波長帯の光信号と合波する（ステップＳ８）。合波用ＷＤＭカプラ０１０７Ａは、合波した信号を、第３の光ファイバ増幅器０１０８Ａ、第３のＤＣＭ１０３Ｃを介して、ＯＡＤＭ機能部０１０９に出力する。
なお、ＤＣＭ０１０３は、ＷＤＭ端局装置０１１１および光多重分離伝送装置０１１２のどちらか一方、または双方に実装され、伝送路光ファイバ０１１３の波長分散を補償し、トランスポンダ受信端において適切な残留分散値となるようにＤＣＭの波長分散補償量を設定する。
【００６４】
次に、図８を参照してＯＡＤＭ機能部０１０９の動作を説明する。
【００６５】
ＯＡＤＭ機能部０１０９は、光カプラ１３０１において、比率α（０＜α＜１）の光パワを波長多重分離デバイス１３０２Ａに入力し、比率１−αの光パワを２×１波長選択スイッチ０９０１Ｂに入力する（ステップＳ９）。αの設定については、ネットワーク規模および光学ロスバジェットなどを勘案して上記範囲内で設定する。
【００６６】
トランスポンダ０１０１Ｙは、波長多重分離デバイス１３０２Ａに入力された波長λＲ１の光信号を受信する（ステップＳ１０）。
【００６７】
一方、ノード制御回路０８１１は、２×１波長選択スイッチ０９０１Ｂに入力された波長λＲ１の光信号が、２×１波長選択スイッチ０９０１Ｂ内で出力ポートに出力されないように阻止（終端）するよう、制御する（ステップＳ１１）。
【００６８】
次に、波長パスＰ１に関し、光多重分離伝送装置０１１２からＷＤＭ端局装置０１１１Ａ方向へのリンク（図２における実線の矢印）について説明する。
【００６９】
ＯＡＤＭ機能部０１０９において、波長多重分離デバイス１３０２Ｂは、トランスポンダ０１０１Ｙから送信される波長λＢ１の光信号を他のトランスポンダの送信光信号とともに多重し、２×１波長選択スイッチ０９０１Ｂに出力する。
ノード制御回路０８１１は、２×１波長選択スイッチ０９０１Ｂにおいて、波長多重分離デバイス１３０２Ｂより入力された波長λＢ１の光信号を出力ポートに出力するよう、制御する。なお、波長λＢ１は短波長帯である。
【００７０】
２×１波長選択スイッチ０９０１Ｂは、波長λＢ１の光信号を、第４の光ファイバ増幅器０１０８Ｂを経由して、分波用ＷＤＭカプラ０１０７Ｂに出力する。
【００７１】
分波用ＷＤＭカプラ０１０７Ｂは、長波長帯と短波長帯の光信号を分波する。ここで、分波用ＷＤＭカプラ０１０７Ｂは、短波長帯である波長λＢ１の信号を、第３のＷＤＭカプラ０１０５Ｃに出力する。
【００７２】
第３のＷＤＭカプラ０１０５Ｃは、長波長帯と短波長帯の光信号を分波する。言い換えると、第３のＷＤＭカプラ０１０５Ｃは、分波用ＷＤＭカプラ０１０７Ｂから入力された短波長帯の信号と、第２のＷＤＭカプラ０１０５Ｂから入力された長波長帯の信号の合分波を行う。
ここで、第３のＷＤＭカプラ０１０５Ｃは、伝送路光ファイバ０１１３を介して、波長λＢ１の信号を第２のＷＤＭカプラ０１０５Ｂに出力する。
【００７３】
第２のＷＤＭカプラ０１０５Ｂは、長波長帯と短波長帯の光信号を分波する。言い換えると、第２のＷＤＭカプラ０１０５Ｂは、第３のＷＤＭカプラ０１０５Ｃから入力された短波長帯の信号と、第１の光ファイバ増幅器０１０４Ａから入力された長波長帯の信号の合分波を行う。
ここで、第２のＷＤＭカプラ０１０５Ｂは、第２の光ファイバ増幅器０１０４Ｂおよび、第２のＤＣＭ０１０３Ｂを介して、波長λＢ１の信号を第１のＷＤＭカプラ０１０５Ａに出力する。
【００７４】
第１のＷＤＭカプラ０１０５Ａは、長波長帯と短波長帯の光信号を分波する。言い換えると、第１のＷＤＭカプラ０１０５Ａは、ＤＣＭ０１０３Ｂから入力された短波長帯の信号と、波長多重分離デバイス０１０２から入力された長波長帯の信号の合分波を行う。
ここで、第１のＷＤＭカプラ０１０５Ａは、波長多重分離デバイス０１０２を介して、波長λＢ１の信号をトランスポンダ０１０１Ｘに出力する。
【００７５】
これにより、ＷＤＭ端局装置０１１１Ａと光多重分離伝送装置０１１２の間において、波長λＲ１のＷＤＭ端局装置０１１１Ａから光多重分離伝送装置０１１２方向のリンク、および波長λＢ１の光多重分離伝送装置０１１２からＷＤＭ端局装置０１１１Ａ方向のリンクにより構成される波長パスＰ１が確立される。
【００７６】
次に、ＷＤＭ端局装置０１１１Ａのトランスポンダ０１０１Ｘと、ＷＤＭ端局装置０１１１Ｂのトランスポンダ０１０１Ｚとの間に波長パスＰ２を設定する動作について以下に説明する。
【００７７】
ネットワーク制御装置０１１４は、上位サービス層より上記波長パスＰ２の設定要求を受け、ＷＤＭ端局装置０１１１Ａ、光多重分離伝送装置０１１２およびＷＤＭ端局装置０１１１Ｂに対して、それぞれトランスポンダＸおよびトランスポンダＺの送信信号波長および必要に応じて受信信号波長を設定する設定コマンドを送信する。トランスポンダＸに対しては、ＷＤＭ端局装置０１１１ＡからＷＤＭ端局装置０１１１Ｂ方向リンクの送信波長について波長λＲ２を設定し、ＷＤＭ端局装置０１１１ＢからＷＤＭ端局装置０１１１Ａ方向リンクの受信波長について波長λＢ２を設定する。トランスポンダＺに対しては、ＷＤＭ端局装置０１１１ＢからＷＤＭ端局装置０１１１Ａ方向リンクの送信波長について波長λＢ２を設定し、ＷＤＭ端局装置０１１１ＡからＷＤＭ端局装置０１１１Ｂ方向リンクの受信波長について波長λＲ２を設定する。なお、受信波長の設定は不要であれば省略してもよい。
【００７８】
まず波長パスＰ２に関し、ＷＤＭ端局装置０１１１ＡからＷＤＭ端局装置０１１１Ｂ方向へのリンク、すなわち光多重分離伝送装置０１１２のＷｅｓｔ側からＥａｓｔ側の方向のリンク（図３における点線の矢印）について説明する。
【００７９】
波長多重分離デバイス０１０２は、トランスポンダ０１０１Ｘから送信された波長λＲ２の光信号を波長多重し、第１のＷＤＭカプラ０１０５Ａに出力する。ここで、波長λＲ２は長波長帯である。
【００８０】
第１のＷＤＭカプラ０１０５Ａは、長波長帯および短波長帯の合分波を行う。ここでは、第１のＷＤＭカプラ０１０５Ａは、波長λＲ２の光信号を、第１のＤＣＭ０１０３Ａ及び第１の光ファイバ増幅器０１０４Ａを経由して、第２のＷＤＭカプラ０１０５Ｂに出力する。
【００８１】
第２のＷＤＭカプラ０１０５Ｂは、長波長帯と短波長帯の合分波を行う。ここでは、第２のＷＤＭカプラ０１０５Ｂは、波長λＲ２の光信号を、伝送路光ファイバ０１１３を経由して、光多重分離伝送装置０１１２の第３のＷＤＭカプラ０１０５Ｃに出力する。
【００８２】
第３のＷＤＭカプラ０１０５Ｃは、長波長帯と短波長帯の合分波を行う。ここでは、第３のＷＤＭカプラ０１０５Ｃは、伝送後の波長λＲ２の光信号を波長帯域分離し、合波用ＷＤＭカプラ０１０７Ａに出力する。
【００８３】
合波用ＷＤＭカプラ０１０７Ａは、第３のＷＤＭカプラ０１０５Ｃから入力された長波長帯の光信号と、対向側の短波長帯の光信号と合波する。合波用ＷＤＭカプラ０１０７Ａは、合波した信号を、第３の光ファイバ増幅器０１０８Ａ、第３のＤＣＭ１０３Ｃを介して、ＯＡＤＭ機能部０１０９に出力する。
【００８４】
ＯＡＤＭ機能部０１０９は、光カプラ１３０１において、比率α（０＜α＜１）の光パワを波長多重分離デバイス１３０２Ａに入力し、比率１−αの光パワを２×１波長選択スイッチ０９０１Ｂに入力する。
【００８５】
ノード制御回路０８１１は、２×１波長選択スイッチ０９０１Ｂに入力された波長λＲ２の光信号は２×１波長選択スイッチ０９０１Ｂ内で出力ポートに出力される（透過される）ように制御する。これにより、２×１波長選択スイッチ０９０１Ｂは、波長λＲ２を含む光信号を、第４の光ファイバ増幅器０１０８Ｂを介して、分波用ＷＤＭカプラ０１０７Ｂに出力する。
【００８６】
分波用ＷＤＭカプラ０１０７Ｂは、長波長帯と短波長帯の光信号を分波する。ここで、分波用ＷＤＭカプラ０１０７Ｂは、長波長帯である波長λＲ２の信号を、第４のＷＤＭカプラ０１０５Ｄに出力する。
【００８７】
第４のＷＤＭカプラ０１０５Ｄは、長波長帯と短波長帯の光信号を分波する。ここで、第４のＷＤＭカプラ０１０５Ｄは、伝送路光ファイバ０１１３を介して、波長λＲ２の信号を、ＷＤＭ端局装置０１１１Ｂの第２のＷＤＭカプラ０１０５Ｂに出力する。
【００８８】
ＷＤＭ端局装置０１１１Ｂの第２のＷＤＭカプラ０１０５Ｂは、長波長帯と短波長帯の光信号を分波する。ここでＷＤＭ端局装置０１１１Ｂにおいて、第２のＷＤＭカプラ０１０５Ｂは、第２の光ファイバ増幅器０１０４Ｂおよび、第２のＤＣＭ０１０３Ｂを介して、波長λＢ１の信号を、第１のＷＤＭカプラ０１０５Ａに出力する。
【００８９】
ＷＤＭ端局装置０１１１Ｂの第１のＷＤＭカプラ０１０５Ａは、長波長帯と短波長帯の光信号を分波する。ここでＷＤＭ端局装置０１１１Ｂにおいて、第１のＷＤＭカプラ０１０５Ａは、波長多重分離デバイス０１０２を介して、波長λＲ２の信号をトランスポンダ０１０１Ｚに出力する。
【００９０】
波長パスＰ２に関して、ＷＤＭ端局装置０１１１ＢからＷＤＭ端局装置０１１１Ａ方向へのリンク、すなわちＥａｓｔ→Ｗｅｓｔ方向のリンクについても、上記と同様の設定によりリンクが確立される。したがって、波長λＲ２の、ＷＤＭ端局装置０１１１ＡからＷＤＭ端局装置０１１１Ｂの方向リンク（Ｗｅｓｔ→Ｅａｓｔ方向リンク）、および波長λＢ２の、ＷＤＭ端局装置０１１１ＢからＷＤＭ端局装置０１１１Ａの方向リンク（Ｅａｓｔ→Ｗｅｓｔ方向リンク）により構成される波長パスＰ２が確立される。
【００９１】
これにより、光多重分離伝送装置における、光ファイバ増幅器、ＯＡＤＭ機能部、ＤＣＭ機能部を、短波長帯（上り）と長波長帯（下り）に関して共通化することができるため、波長パス利用効率を最大化することができる。したがって、光多重分離伝送装置を、低コスト化することができる。
より具体的には、双方向のそれぞれに対してＯＡＤＭ機能部０１０９に相当する機能ブロックを配備する構成と比較して、片方向分のＯＡＤＭ機能部のみで短波長帯および長波長帯、すなわち双方向のＡｄｄ／Ｄｒｏｐ／Ｔｈｒｏｕｇｈ処理を行うことができるため、ＯＡＤＭ機能部の装置コストを１／２に縮減することができる。したがって、ＯＡＤＭ機能部を有する光多重分離伝送装置を低コスト化および小型化することができる。
【００９２】
（実施の形態３）
次に、図５を参照して本発明の実施の形態について説明する。図５は、波長多重分離光通信ネットワークシステムにおいて、２心双方向による通信を行う状態を示す図である。なお以下では、実施の形態１に示した構成物品と同様の機能を奏する構成物品については、同一の符号を付し、説明を省略する。
【００９３】
波長多重分離光通信ネットワークシステムは、ＷＤＭ端局装置０３１１Ａと、第１の光多重分離伝送装置０３１２Ａと、第２の光多重分離伝送装置０３１２Ｂと、ＷＤＭ端局装置０３１１Ｂと、ネットワーク制御装置０１１４を備える。第２の光多重分離伝送装置０３１２Ｂは、第１の光多重分離伝送装置０３１２ＡのＥａｓｔ側に設けられている。ＷＤＭ端局装置０３１１Ａは、第１の光多重分離伝送装置０３１２ＡのＷｅｓｔ側に設けられている。ＷＤＭ端局装置０３１１Ｂは、第２の光多重分離伝送装置０３１２ＢのＥａｓｔ側に設けられている。ＷＤＭ端局装置０３１１Ａ、０３１１Ｂおよび光多重分離伝送装置０３１２Ａ、０３１２Ｂはネットワーク制御装置０１１４に接続されており、ネットワーク制御装置０１１４より波長パス設定に関する設定情報を受信する。
【００９４】
ＷＤＭ端局装置０３１１Ａと第１の光多重分離伝送装置０３１２Ａは、２つの伝送路光ファイバ０３１３Ａ、０３１３Ｂにより接続されている。第１の光多重分離伝送装置０３１２Ａと第２の光多重分離伝送装置０３１２Ｂは、２つの伝送路光ファイバ０３１３Ｃ、０３１３Ｄにより接続されている。第２の光多重分離伝送装置０３１２ＢとＷＤＭ端局装置０３１１Ｂは、２つの伝送路光ファイバ０３１３Ｅ、０３１３Ｆにより接続されている。
【００９５】
ＷＤＭ端局装置０３１１Ａは、トランスポンダ０１０１Ｘと、波長多重分離デバイス０３０２Ａと、第１のＤＣＭ０１０３Ａと、第２のＤＣＭ０１０３Ｂと、第１の光ファイバ増幅器０３０４Ａと、第２の光ファイバ増幅器０３０４Ｂを備える。
【００９６】
波長多重分離デバイス０３０２Ａは、多重部０３０２Ｂと、分離部０３０２Ｃを備える。
多重部０３０２Ｂは、トランスポンダ０１０１Ｘから入力された信号を多重化し、第１のＤＣＭ０１０３Ａに出力する。分離部０３０２Ｃは、第２のＤＣＭ０１０３Ｂから入力された信号を分離し、トランスポンダ０１０１Ｘに出力する。
【００９７】
第１の光ファイバ増幅器０３０４Ａは、減衰した信号を増幅する機能を有するモジュールである。第１の光ファイバ増幅器０３０４Ａは、第１のＤＣＭ０１０３Ａから入力された信号を、伝送路光ファイバ０３１３Ａを介して第１の光多重分離伝送装置０３１２Ａに出力する。
【００９８】
第２の光ファイバ増幅器０３０４Ｂは、減衰した信号を増幅する機能を有するモジュールである。第２の光ファイバ増幅器０３０４Ｂは、伝送路光ファイバ０３１３Ｂを介して第１の光多重分離伝送装置０３１２Ａから入力された信号を、第２のＤＣＭ０１０３Ｂに出力する。
【００９９】
ＷＤＭ端局装置０３１１Ｂは、トランスポンダ０１０１Ｚと、波長多重分離デバイス０３０２Ｄと、第１のＤＣＭ０１０３Ａと、第２のＤＣＭ０１０３Ｂと、第３の光ファイバ増幅器０３０４Ｃと、第４の光ファイバ増幅器０３０４Ｄを備える。
【０１００】
波長多重分離デバイス０３０２Ｄは、多重部０３０２Ｅと、分離部０３０２Ｆを備える。
多重部０３０２Ｅは、トランスポンダ０１０１Ｚから入力された信号を多重化し、第１のＤＣＭ０１０３Ａに出力する。分離部０３０２Ｆは、第２のＤＣＭ０１０３Ｂから入力された信号を分離し、トランスポンダ０１０１Ｚに出力する。
【０１０１】
第３の光ファイバ増幅器０３０４Ｃは、減衰した信号を増幅する機能を有するモジュールである。第３の光ファイバ増幅器０３０４Ｃは、第１のＤＣＭ０１０３Ａから入力された信号を、伝送路光ファイバ０３１３Ｆを介して第２の光多重分離伝送装置０３１２Ｂに出力する。
【０１０２】
第４の光ファイバ増幅器０３０４Ｄは、減衰した信号を増幅する機能を有するモジュールである。第４の光ファイバ増幅器０３０４Ｄは、伝送路光ファイバ０３１３Ｅを介して第２の光多重分離伝送装置０３１２Ｂから入力された信号を、第２のＤＣＭ０１０３Ｂに出力する。
【０１０３】
第１の光多重分離伝送装置０３１２Ａは、トランスポンダ０１０１Ｙと、第３のＤＣＭ０１０３Ｃと、合波用ＷＤＭカプラ０３０７Ａと、分波用ＷＤＭカプラ０３０７Ｂと、光ファイバ増幅器０１０８Ａと、光ファイバ増幅器０１０８Ｂと、ＯＡＤＭ機能部０１０９を備える。
【０１０４】
合波用ＷＤＭカプラ０３０７Ａは、第１の光ファイバ増幅器０３０４Ａから伝送路光ファイバ０３１３Ａを介して入力された信号と、後述する第２の光多重分離伝送装置０３１２Ｂの分波用ＷＤＭカプラ０３０７Ｄから、伝送路光ファイバ０３１３Ｃを介して入力された信号とを合波する。合波用ＷＤＭカプラ０３０７Ａは、合波した信号を光ファイバ増幅器０１０８Ａに出力する。
【０１０５】
分波用ＷＤＭカプラ０３０７Ｂは、光ファイバ増幅器０１０８Ｂから入力された信号を分波する。例えば分波用ＷＤＭカプラ０３０７Ｂは、長波長帯の信号を、伝送路光ファイバ０３１３Ｄを介して、後述する第２の光多重分離伝送装置０３１２Ｂの合波用ＷＤＭカプラ０３０７Ｃに出力し、短波長帯の信号を、伝送路光ファイバ０３１３Ｂを介して、第２の光ファイバ増幅器０３０４Ｂに出力する。
【０１０６】
第２の光多重分離伝送装置０３１２Ｂは、トランスポンダ０１０１Ｙと、第３のＤＣＭ０１０３Ｃと、合波用ＷＤＭカプラ０３０７Ｃと、分波用ＷＤＭカプラ０３０７Ｄと、光ファイバ増幅器０１０８Ａと、光ファイバ増幅器０１０８Ｂと、ＯＡＤＭ機能部０１０９を備える。
【０１０７】
合波用ＷＤＭカプラ０３０７Ｃは、第３の光ファイバ増幅器０３０４Ｃから伝送路光ファイバ０３１３Ｆを介して入力された信号と、第１の光多重分離伝送装置０３１２Ａの分波用ＷＤＭカプラ０３０７Ｂから、伝送路光ファイバ０３１３Ｄを介して入力された信号とを合波する。合波用ＷＤＭカプラ０３０７Ｃは、合波した信号を光ファイバ増幅器０１０８Ａに出力する。
【０１０８】
分波用ＷＤＭカプラ０３０７Ｄは、光ファイバ増幅器０１０８Ｂから入力された信号を分波する。例えば分波用ＷＤＭカプラ０３０７Ｄは、長波長帯の信号を、伝送路光ファイバ０３１３Ｅを介して、第４の光ファイバ増幅器０３０４Ｄに出力し、短波長帯の信号を、伝送路光ファイバ０３１３Ｃを介して、第１の光多重分離伝送装置０３１２Ａの合波用ＷＤＭカプラ０３０７Ａに出力する。
【０１０９】
これにより、光ファイバ増幅器など方向性のあるデバイスなどが伝送路に予め設置されているために１心双方向伝送が不可能な場合などにおいて、２心双方向伝送への対応も可能であり、装置の小型・低コスト化が可能となる。
【０１１０】
（実施の形態４）
図６は、複数の光多重分離伝送装置をリングトポロジで接続した１心双方向伝送の波長多重分離光通信ネットワークシステムの一例である。リングトポロジで接続した１心双方向伝送の波長多重分離光通信ネットワークシステムは、第１〜第４の光多重分離伝送装置０１１２Ａ〜０１１２Ｄを有するものとして説明する。
【０１１１】
第１の光多重分離伝送装置０１１２Ａは、第２の光多重分離伝送装置０１１２Ｂおよび第４の光多重分離伝送装置０１１２Ｄと接続している。
第２の光多重分離伝送装置０１１２Ｂは、第１の光多重分離伝送装置０１１２Ａおよび第３の光多重分離伝送装置０１１２Ｃと接続している。
第３の光多重分離伝送装置０１１２Ｃは、第２の光多重分離伝送装置０１１２Ｂおよび第４の光多重分離伝送装置０１１２Ｄと接続している。
第４の光多重分離伝送装置０１１２Ｄは、第１の光多重分離伝送装置０１１２Ａおよび第３の光多重分離伝送装置０１１２Ｃと接続している。
ここで、第１〜第４の光多重分離伝送装置０１１２Ａ〜０１１２Ｄは、それぞれ第２の実施形態で示した光多重分離伝送装置０１１２と同様の構成である。
【０１１２】
このようにリングトポロジとした場合であっても、実施の形態３に示した方法と同様の方法により光多重分離伝送装置における、光ファイバ増幅器、ＯＡＤＭ機能部、ＤＣＭ機能部を、短波長帯（上り）と長波長帯（下り）に関して共通化することができるため、装置の小型・低コスト化が可能である。
またこのような構成とすることで、たとえば第１の光多重分離伝送装置０１１２Ａから第３の光多重分離伝送装置０１１２Ｃに信号を伝送する場合に、第２の光多重分離伝送装置０１１２Ｂに障害が発生しても、第４の光多重分離伝送装置０１１２Ｄを経由して信号を伝送することができるため、障害への耐性が強くなる。
【０１１３】
（実施の形態５）
図７は、複数の光多重分離伝送装置をリングトポロジで接続した２心双方向伝送の波長多重分離光通信ネットワークシステムの一例である。リングトポロジで接続した１心双方向伝送の波長多重分離光通信ネットワークシステムは、第１〜第４の光多重分離伝送装置０３１２Ａ〜０３１２Ｄを有するものとして説明する。
【０１１４】
第１の光多重分離伝送装置０３１２Ａは、第２の光多重分離伝送装置０３１２Ｂおよび第４の光多重分離伝送装置０３１２Ｄと接続している。
第２の光多重分離伝送装置０３１２Ｂは、第１の光多重分離伝送装置０３１２Ａおよび第３の光多重分離伝送装置０３１２Ｃと接続している。
第３の光多重分離伝送装置０３１２Ｃは、第２の光多重分離伝送装置０３１２Ｂおよび第４の光多重分離伝送装置０３１２Ｄと接続している。
第４の光多重分離伝送装置０３１２Ｄは、第１の光多重分離伝送装置０３１２Ａおよび第３の光多重分離伝送装置０３１２Ｃと接続している。
ここで、第１〜第４の光多重分離伝送装置０３１２Ａ〜０３１２Ｄは、それぞれ第３の実施形態で示した光多重分離伝送装置０３１２と同様の構成である。
【０１１５】
このようにリングトポロジとした場合であっても、実施の形態４に示した方法と同様の方法により光多重分離伝送装置における、光ファイバ増幅器、ＯＡＤＭ機能部、ＤＣＭ機能部を、短波長帯（上り）と長波長帯（下り）に関して共通化することができるため、装置の小型・低コスト化が可能である。
またこのような構成とすることで、たとえば第１の光多重分離伝送装置０３１２Ａから第３の光多重分離伝送装置０３１２Ｃに信号を伝送する場合に、第２の光多重分離伝送装置０３１２Ｂに障害が発生しても、第４の光多重分離伝送装置０３１２Ｄを経由して信号を伝送することができるため、障害への耐性が強くなる。
【０１１６】
（実施の形態６）
ＯＡＤＭ機能部に関する他の実施形態について、実施の形態１に示したＯＡＤＭ機能部０１０９との差分を用いて説明する。
【０１１７】
図９に示すＯＡＤＭ機能部０９０９は、波長ブロッカー０８０１、入力側光カプラ１３０１Ａ（光パワ分波手段）、出力側光カプラ１３０１Ｂ（光パワ合波手段）、ＤＣＭ０６０３、光ファイバ増幅器０６０４、波長多重分離デバイス１３０２Ａ（波長パス分離手段）、波長多重分離デバイス１３０２Ｂ（波長パス多重手段）、ノード制御回路０９１１から構成される。構成要素間の相互接続は図に示すとおりである。波長ブロッカー０８０１は、入力ポートと出力ポートをそれぞれ１ポートずつ備え、入力された個別の波長チャネルに対して、任意の波長のチャネルの通過を阻止し、その他の波長チャネルについては透過して出力ポートに出力する機能を有する。波長ブロッカー０８０１は、波長パス透過阻止手段である。以下では、トランスポンダに光信号を出力する波長多重分離デバイス１３０２Ａを第１の波長多重分離デバイス、トランスポンダから光信号を入力する波長多重分離デバイス１３０２Ｂを第１の波長多重分離デバイスとする。
【０１１８】
図９に示すＯＡＤＭ機能部に関連する波長パス設定に動作について説明する。ＷＤＭラインからトランスポンダ０６０１へのＤｒｏｐ光信号については、入力側光カプラ１３０１ＡによりＷＤＭラインより光パワ分岐された後に波長多重分離デバイス１３０２を介してトランスポンダに受信される。同時に、ノード制御回路１０１１により制御される波長ブロッカー０８０１によって当該Ｄｒｏｐ光信号と同一の波長について光信号が透過しないように阻止設定を行う。光多重分離伝送装置０１１２における波長パスの透過設定については、ノード制御回路１０１１により制御される波長ブロッカー０８０１によって当該透過光信号と同一の波長について光信号が透過するように設定を行う。トランスポンダ０６０１よりＷＤＭラインへのＡｄｄ光信号は波長多重分離デバイス１３０２を介して出力側光カプラ１３０１ＢによりＷＤＭラインに多重される。
【０１１９】
図１０に示すＯＡＤＭ機能部１００９は、ノード制御回路０８１１以外は図８に示す構成例と同様の光コンポーネントで構成されているが、波長選択スイッチとして１×２波長選択スイッチ０９０１Ａを用い、配備箇所が異なる。構成要素間の相互接続は図に示すとおりである。
【０１２０】
図１０に示すＯＡＤＭ機能部に関連する波長パス設定に動作について説明する。ＷＤＭラインからトランスポンダ０６０１へのＤｒｏｐ設定ついては、ノード制御回路１０１１により制御される１×２波長選択スイッチ０９０１Ａにおいて、入力ポートより入力された当該Ｄｒｏｐ信号を波長多重分離デバイス１３０２に接続されている出力ポートより出力するようノード制御回路１０１１により設定され、波長多重分離デバイス１３０２を介してトランスポンダ０６０１により受信される。光多重分離伝送装置０１１２における波長パスの透過設定については、１×２波長選択スイッチ０９０１Ａにおいて、入力ポートより入力された当該透過光信号を光カプラ１３０１に出力されるよう、ノード制御回路１０１１により１×２波長選択スイッチ０９０１Ａが制御される。トランスポンダ０６０１よりＷＤＭラインへのＡｄｄ光信号は波長多重分離デバイス１３０２を介して光カプラ１３０１によりＷＤＭラインに多重される。
【０１２１】
図１１に示すＯＡＤＭ機能部１１０９は、１×Ｎ（Ｎは２以上の自然数）波長選択スイッチ１１０１、光カプラ１３０１、光ファイバ増幅器０６０４、ＤＣＭ０６０３、波長多重分離デバイス１３０２、ノード制御回路１１１１から構成される。構成要素間の相互接続は図に示すとおりである。１×Ｎ波長選択スイッチ１１０１は、入力ポートを１ポート、出力ポートをＮポート有し、入力ポートから入力される任意の波長およびチャネル数について、任意の出力ポートに出力する機能を有する。
【０１２２】
図１１に示すＯＡＤＭ機能部に関連する波長パス設定に動作について説明する。ＷＤＭラインからトランスポンダ０６０１へのＤｒｏｐ設定ついては、ノード制御回路１１１１により制御される１×Ｎ波長選択スイッチ１１０１において、入力ポートより入力された当該Ｄｒｏｐ信号を指定のトランスポンダ０６０１に接続されている出力ポートより出力するようノード制御回路１１１１により設定され、トランスポンダ０６０１により受信される。光多重分離伝送装置０１１２における波長パスの透過設定については、１×Ｎ波長選択スイッチ１１０１において、入力ポートより入力された当該透過光信号を光カプラ１３０１に出力されるよう、ノード制御回路１０１１により１×Ｎ波長選択スイッチ１１０１が制御される。トランスポンダ０６０１よりＷＤＭラインへのＡｄｄ光信号は波長多重分離デバイス１３０２を介して光カプラ１３０１によりＷＤＭラインに多重される。
【０１２３】
図１２に示すＯＡＤＭ機能部１２０９は、１×Ｎ波長選択スイッチ１２０１Ａ、Ｎ×１波長選択スイッチ１２０１Ｂ、光ファイバ増幅器０６０４、ＤＣＭ０６０３、から構成される。構成要素間の相互接続は図に示すとおりである。またＯＡＤＭ機能部１０９Ｂは、外部にノード制御回路１２１１を設けている。ノード制御回路１２１１は、１×Ｎ波長選択スイッチ１２０１Ａと、Ｎ×１波長選択スイッチ１２０１Ｂと、トランスポンダ０６０１にそれぞれ接続している。
【０１２４】
これにより、１×Ｎ波長選択スイッチ１２０１Ａの入出力ポートに直接トランスポンダのＷＤＭ信号を収容しているため、トランスポンダのＷＤＭ送信信号波長および受信信号波長の設定に制約がなく、運用帯域（たとえばＣ−ｂａｎｄ）の全ての波長チャネルが設定可能である。一方、図８から図１１に示す構成例における波長多重分離デバイス１３０２は固定波長を入出力する波長分離ポートとトランスポンダのＷＤＭ送信信号およびＷＤＭ受信信号の入出力ポートとの接続が固定的であるため、トランスポンダのＷＤＭ送受信波長の設定は接続された波長多重分離デバイスの波長分離ポートの波長に固定される。本発明の形態はこの制約が解消されるため、トランスポンダのＷＤＭ送信信号波長ならびにＷＤＭ受信信号波長を任意に設定が可能となる効果を有する。
【０１２５】
なお、ノード制御回路０９１１、１０１１、１１１１、１２１１はノード制御回路０８１１と同様、ネットワーク制御装置０１１４から受信した波長パス設定要求に基づき、ＯＡＤＭ機能部の波長パス設定に必要な光コンポーネントを制御するためのインターフェースを有し、光多重分離伝送装置内でそれぞれの光コンポーネントと制御線で接続されている。例えば、ノード制御回路１２１１は、１×Ｎ波長選択スイッチ１２０１ＡおよびＮ×１波長選択スイッチ１２０１Ｂと、トランスポンダ０６０１にそれぞれ接続し、ネットワーク制御装置０１１４から受信した波長パス設定要求に基づき、波長パス設定の制御を行う。
【０１２６】
これによりＯＡＤＭ機能部は、要求される条件に合わせて構成を変更することができる。したがってＯＡＤＭ機能部について、用いられる場面に応じてサイズおよびコストの最適化を図ることができるため、ＯＡＤＭ機能部を有する光多重分離伝送装置の、サイズおよびコストの最適化を図ることができる。
【０１２７】
（実施の形態６）
光パワ・ロスバジェット設計および波長分散設計により、運用トランスポンダの光受信部における受光パワレベル、ＯＳＮＲ（Optical Signal to Noise Ratio)および残留分散値などの伝送品質を決定するパラメータについて、トランスポンダ受信部における誤り率が要求される数値以下となる範囲とする。このとき、図２におけるＷＤＭ端局装置０１１１において、光カプラ０１０５Ａ、Ｏ１０５Ｂ、ＤＣＭ０１０３Ａ、０１０３Ｂ、光ファイバ増幅器０１０４Ａ、０１０４Ｂにより構成される機能部を、波長多重分離装置０１１２よりＯＡＤＭ機能部０１０９を取り除き、ＤＣＭ０１０３Ｃと光ファイバ増幅器０１０８Ｂを接続した機能構成に置き換えてもよい。
【０１２８】
これにより、ＷＤＭ端局装置０１１１における短波長帯および長波長帯のＤＣＭおよび光ファイバ増幅器の共用化が可能となり、ＷＤＭ端局装置の小型・低コスト化を実現することができる。
【０１２９】
なお、本発明は上記実施の形態に限られたものではなく、趣旨を逸脱しない範囲で適宜変更することが可能である。例えば実施の形態２において、光多重分離伝送装置０１１２のＷｅｓｔ側に設けられた装置からＥａｓｔ側に設けられた装置へは長波長帯の光信号を伝送し、Ｅａｓｔ側に設けられた装置からＷｅｓｔ側に設けられた装置へは短波長帯の光信号を伝送するものとして説明したが、これに限られない。また、上記で用いられる複数のＤＣＭ０１０３、光ファイバ増幅器０１０４については、それぞれの性能パラメータ（分散補償量、利得、入出力光パワ範囲など）について、配備される箇所により異なるものが適用されてもよい。
【０１３０】
上記の実施の形態の一部又は全部は、以下の付記のようにも記載され得るが、以下には限られない。
【０１３１】
（付記１）
波長パスおよび波長帯域多重分離機能部ならびにトランスポンダから構成され、複数の波長パスを複数の方路に対して設定する波長パス多重分離伝送装置において、
波長帯域が複数の方路に対応付けられた複数のサブ波長帯域に分割され、
前記波長パスおよび波長帯域多重分離機能部は波長帯域多重手段、波長帯域分離手段および波長パス選択切替手段から構成され、
前記波長帯域多重手段は、複数の方路に対応する伝送路と入力ポートとが接続され、入力ポートに入力されるサブ波長帯域に含まれる波長信号を多重して出力ポートに出力し、前記波長帯域多重手段の出力ポートは前記波長パス選択切替手段の入力ポートに接続され、
前記波長パス選択切替手段は波長パス多重分離ポートを介してトランスポンダと接続され、
前記波長パス選択切替手段の出力ポートは前記波長帯域分離手段の入力ポートに接続され、
前記波長帯域分離手段は、入力ポートから入力される波長パス多重信号を複数のサブ波長帯域に分離して出力ポートに出力し、前記波長帯域分離手段の出力ポートは複数の方路に対応する伝送路に接続される構成
であることを特徴とする波長パス多重分離伝送装置。
（付記２）
前記波長帯域多重手段は、複数の方路に対応する伝送路と１心双方向波長帯域多重手段を介して接続され、
前記波長帯域分離手段は、複数の方路に対応する伝送路と１心双方向波長帯域分離手段を介して接続される
ことを特徴とする付記１に記載の波長パス多重分離伝送装置。
（付記３）
波長パス多重切替手段が
第１の波長パス選択切替手段および第２の波長パス選択切替手段から構成され、
前記波長帯域多重手段の出力ポートが前記第１の波長パス選択切替手段の入力ポートに接続され、
前記第１の波長パス選択切替手段の出力ポートがトランスポンダの受信ポートに接続され、
前記第１の波長パス選択切替手段の出力ポートが前記第２の波長パス選択切替手段の入力ポートに接続され、
トランスポンダの送信ポートが前記第２の波長パス選択切替手段の入力ポートに接続され、
前記第２の波長パス選択切替手段の出力ポートが前記波長帯域分離手段の入力ポートに接続される
ことを特徴とする付記１または付記２に記載の波長パス多重分離伝送装置。
（付記４）
波長パス多重分離部が
光パワ合波手段、波長パス透過阻止手段、光パワ分波手段、波長パス多重手段および波長パス分離手段から構成され、
前記波長帯域多重手段の出力ポートが前記光パワ分波手段の入力ポートに接続され、
前記光パワ分波手段の出力ポートが前記波長パス分離手段を介してトランスポンダの受信ポートに接続され、
前記光パワ合波手段の出力ポートが前期波長パス透過阻止手段の入力ポートに接続され、
前記波長パス透過阻止手段の出力ポートが前記光パワ合波手段の入力ポートに接続され、
トランスポンダの送信ポートが前記波長パス多重手段を介して前記光パワ合波手段の入力ポートに接続され、
前記光パワ合波手段の出力ポートが前記波長帯域分離手段の入力ポートに接続される
ことを特徴とする付記１または付記２に記載の波長パス多重分離伝送装置。
（付記５）
波長パス多重分離部が
光パワ分波手段、波長パス選択切替手段、波長パス多重手段および波長パス分離手段から構成され、
前記波長帯域多重手段の出力ポートが前記光パワ分波手段の入力ポートに接続され、
前記光パワ分波手段の出力ポートが前記波長パス分離手段を介してトランスポンダの受信ポートに接続され、
前記光パワ分波手段の出力ポートが前期波長パス選択切替手段の入力ポートに接続され、
トランスポンダの送信ポートが前記波長パス多重手段を介して前記波長パス選択切替手段の入力ポートに接続され、
前記波長パス選択切替手段の出力ポートが前記波長帯域分離手段の入力ポートに接続される
ことを特徴とする請求項１または請求項２に記載の波長パス多重分離伝送装置。
(付記６)
波長パス多重分離部が
光パワ合波手段、波長パス選択切替手段、波長パス多重手段および波長パス分離手段から構成され、
前記波長帯域多重手段の出力ポートが前記波長パス選択切替手段の入力ポートに接続され、
前記波長パス選択切替手段の出力ポートが波長パス分離手段を介してトランスポンダの受信ポートに接続され、
前記波長パス選択切替手段の出力ポートが前記光パワ合波手段の入力ポートに接続され、
トランスポンダの送信ポートが前記波長パス多重手段を介して前記光パワ合波手段の入力ポートに接続され、
前記光パワ合波手段の出力ポートが前記波長帯域分離手段の入力ポートに接続される
ことを特徴とする付記１または付記２に記載の波長パス多重分離伝送装置。
（構成例７）
波長パス多重分離部が
光パワ合波手段、波長パス選択切替手段および波長パス多重手段から構成され、
前記波長帯域多重手段の出力ポートが前記波長パス選択切替手段の入力ポートに接続され、
前記波長パス選択切替手段の出力ポートがトランスポンダの受信ポートに接続され、
前記波長パス選択切替手段の出力ポートが前記光パワ合波手段の入力ポートに接続され、
トランスポンダの送信ポートが前記波長パス多重手段を介して前記光パワ合波手段の入力ポートに接続され、
前記光パワ合波手段の出力ポートが前記波長帯域分離手段の入力ポートに接続される
ことを特徴とする付記１または付記２に記載の波長パス多重分離伝送装置。
（付記８）
波長パス多重分離部を構成する任意の２つの機能手段の入力ポートおよび出力ポート間に光増幅手段を挿入した
ことを特徴とする付記１から付記７のいずれかに記載の波長パス多重分離伝送装置。
（付記９）
波長パス多重分離部を構成する任意の２つの機能手段の入力ポートおよび出力ポート間に波長分散補償手段を挿入した
ことを特徴とする付記１から付記７のいずれかに記載の波長パス多重分離伝送装置。
（付記１０）
波長パス多重分離部を構成する任意の２つの機能手段の入力ポートおよび出力ポート間に光増幅手段を挿入し、
さらに波長パス多重分離部を構成する任意の２つの機能手段の入力ポートおよび出力ポート間に波長分散補償手段を挿入した
ことを特徴とする請求項１から請求項７のいずれかに記載の波長パス多重分離伝送装置。（付記１１）
波長パスおよび波長帯域多重分離機能部ならびにトランスポンダから構成される波長パス多重分離装置により構成され、複数の波長パスを複数の方路に対して設定する波長パス多重分離ネットワークにおいて、
波長帯域を複数の方路に対応付けられた複数のサブ波長帯域に分割し、
前記波長パスおよび波長帯域多重分離機能部は、
複数の方路に対応する伝送路より入力されるサブ波長帯域に含まれる波長信号を波長帯域多重して波長帯域多重信号を生成し、
前記波長帯域多重信号に含まれる任意の波長パスに対して、
波長パス信号を前記波長帯域多重信号より波長パス分離してトランスポンダ受信部に入力する、または
トランスポンダ送信部より送信される波長パス信号を前記波長帯域多重信号に波長パス多重する、または
当該ノード装置で前記波長パス分離、前記波長パス多重動作を行わずに任意の方路に波長パス透過出力する、
のいずれかまたは任意の組み合わせの動作を行い、
前記波長パス分離、前記波長パス多重、または前記波長パス透過出力の処理が行われた後の前記波長帯域多重信号について、
複数のサブ波長帯域に波長帯域分離し、複数の方路に対応する伝送路に対してサブ波長帯域を出力する
ことを特徴とする波長パス設定方法。
（付記１２）
前記波長パスおよび波長帯域多重分離機能部において、
当該ノード装置から出力され、隣接ノード装置に入力される波長パス信号と、前記隣接ノード装置から出力され、当該ノード装置に入力される波長パス信号とを波長帯域多重および波長帯域分離して単一の伝送路で伝送する
ことを特徴とする付記１に記載の波長パス設定方法。
【符号の説明】
【０１３２】
０１０１    トランスポンダ
０１０２    波長多重分離デバイス
０１０４、    光ファイバ増幅器
０１０５Ａ−Ｄ    ＷＤＭカプラ
０１０７Ａ、０１０７Ｂ    ＷＤＭカプラ
０１０８Ａ、０１０８Ｂ    光ファイバ増幅器
０１０９    機能部
０１１１    端局装置
０１１２    光多重分離伝送装置
０１１３    伝送路光ファイバ
０１１４    ネットワーク制御装置
０３０２Ａ、０３０２Ｄ    波長多重分離デバイス
０３０２Ｂ、０３０２Ｅ    多重部
０３０２Ｃ、０３０２Ｆ    分離部
０３０４Ａ−Ｄ    光ファイバ増幅器
０３０７Ａ、０３０７Ｃ    合波用ＷＤＭカプラ
０３０７Ｂ、０３０７Ｄ    分波用ＷＤＭカプラ
０３１１Ａ、０３１１Ｂ    端局装置
０３１２Ａ、０３１２Ｂ    光多重分離伝送装置
０３１３Ａ−Ｆ        伝送路光ファイバ
０６０１    トランスポンダ
０６０４    光ファイバ増幅器
０６０５    カプラ
０６０６    ＯＡＤＭ部
０６１２    光多重分離伝送装置
０６１３    伝送路光ファイバ
０８０１    波長選択スイッチ
０８１１    ノード制御回路
０９０１    波長選択スイッチ
０９０９    ＯＡＤＭ機能部
０９１１    ノード制御回路
１００９    ＯＡＤＭ機能部
１０１１    ノード制御回路
１１０１    波長選択スイッチ
１１０９    ＯＡＤＭ機能部
１１１１    ノード制御回路
１２０１    波長選択スイッチ
１２０９    ＯＡＤＭ機能部
１２１１    ノード制御回路
１３０１    光カプラ
１３０１Ａ    入力側光カプラ
１３０１Ｂ    出力側光カプラ
１３０２    波長多重分離デバイス
１３０２Ａ    波長多重分離デバイス
１３０２Ｂ    波長多重分離デバイス
【図１】
2014127796.tif 000003
【図２】
2014127796.tif 000004
【図３】
2014127796.tif 000005
【図４】
2014127796.tif 000006
【図５】
2014127796.tif 000007
【図６】
2014127796.tif 000008
【図７】
2014127796.tif 000009
【図８】
2014127796.tif 000010
【図９】
2014127796.tif 000011
【図１０】
2014127796.tif 000012
【図１１】
2014127796.tif 000013
【図１２】
2014127796.tif 000014
【図１３】
2014127796.tif 000015
【図１４】
2014127796.tif 000016
【図１５】
2014127796.tif 000017
【図１６】
2014127796.tif 000018
【図１７】
2014127796.tif 000019
【図１８】
2014127796.tif 000020
【図１９】
2014127796.tif 000021